(57)【要約】【課題】移動体に偏った摩耗が発生せず耐久性に優れたクロックスプリングを提供する。【解決手段】外周壁部１６ａを有する外側ハウジング１１と、内周壁部１２ａを有する内側ハウジング１２と、外周壁部１６ａと内周壁部１２ａの間に形成されたケーブル収納室１８と、ケーブル収納室１８内に回転自在に配置された複数のアイドラー２０，２０ａを有する移動体１３とを備え、フラットケーブル１４を反転用アイドラー２０ａの箇所で反転させてケーブル収納室１８内に巻回状態で収納したクロックスプリング１０において、複数のアイドラー２０，２０ａを摺動プレート１９の周方向に等間隔に配置すると共に、反転用アイドラー２０ａに沿ってフラットケーブル１４が巻き付くようにガイドするケーブルガイド壁２１を設けた。【選択図】      図３
2007037201.tif 000002
【特許請求の範囲】
【請求項１】
外周壁部を有する外側ハウジングと、この外側ハウジングに回転自在に装着され、内周壁部を有する内側ハウジングと、前記外周壁部と前記内周壁部との間に形成されたケーブル収納室と、このケーブル収納室内に回転自在に配置されたリング状の摺動プレートを有し、この摺動プレートの周方向に間隔を置いて回転自在に支持された複数のアイドラーによって前記ケーブル収納室内に外周側ケーブル空間と内周側ケーブル空間とをそれぞれ形成すると共に前記アイドラーの一つを反転用アイドラーとする移動体とを備え、一端を前記外側ハウジングに固定したフラットケーブルを前記外周側ケーブル空間で巻回し、この巻回したフラットケーブルを前記反転用アイドラーに巻き付けて前記内周側ケーブル空間に導くと共に前記反転用アイドラーの位置でフラットケーブルの巻回方向を反転し、この反転した前記フラットケーブルを前記内周側ケーブル空間で巻回し、この巻回したフラットケーブルの他端を前記内側ハウジングに固定したクロックスプリングにおいて、
前記複数のアイドラーを前記摺動プレートの周方向に等間隔に配置すると共に、前記反転用アイドラーに沿って前記フラットケーブルが巻き付くようにガイドするケーブルガイド壁を前記摺動プレートに設けたことを特徴とするクロックスプリング。
【請求項２】
請求項１記載のクロックスプリングであって、
前記ケーブルガイド壁は、前記フラットケーブルの中央高さよりも高く設定されたことを特徴とするクロックスプリング。
【請求項３】
請求項２記載のクロックスプリングであって、
前記ケーブルガイド壁に前記フラットケーブルの下方に当たる箇所に凹部が設けられていることを特徴とするクロックスプリング。
【請求項４】
請求項１〜請求項３記載のクロックスプリングであって、
前記ケーブルガイド壁は、前記反転用アイドラーに沿った円弧状の円弧状部と、この円弧状部の前記内周側ケーブル空間側の端部に設けられ、円弧方向とは逆方向に反った反転円弧状部とを有することを特徴とするクロックスプリング。
【発明の詳細な説明】
【０００１】
【発明の属する技術分野】
本発明は、固定側ハウジングと回転側ハウジングとの間に形成されたケーブル収納室にフラットケーブルを収納したクロックスプリングに関する。
【０００２】
【従来の技術】
例えば、自動車のステアリング装置に組み込まれるエアーバッグシステムには発火電流を供給する必要があり、固定側である車体と回転側であるステアリング装置とを電気的に接続するのにクロックスプリングが用いられる。このような電気的接続手段であるクロックスプリングとしては、フラットケーブルの巻き方を渦巻き状にして収納したものと、途中で逆向きに反転して収納したものとが知られているが、後者の反転タイプの方がフラットケーブルの使用長さを非常に短くできるメリットがある。
【０００３】
図８〜図１３には、従来の反転タイプのクロックスプリングが示されている。図８〜図１０において、外側ハウジング１は、外周壁部１ａを有する下ケース部材１ｂと、この下ケース部材１ｂの上方開口を被うように組み付けられた上ケース部材１ｃとから構成されている。外側ハウジング１の内部には内側ハウジング２が回転自在に装着され、この内側ハウジング２には内周壁部２ａが設けられている。外周壁部１ａと内周壁部２ａとは同芯状に配置され、外周壁部１ａと内周壁部２ａとの間にはケーブル収納室３が形成されている。このケーブル収納室３内にはリング状の移動体４が回転自在に配置されている。この移動体４は、図１１及び図１２に示すように、リング状の摺動プレート５と、この摺動プレート５に間隔を置いて回転自在に設けられ、一つが反転用とされた５つのアイドラー６と、摺動プレート５に設けられ、反転用アイドラー６ａに沿ってフラットケーブル７が巻き付くようにガイドするケーブルガイド壁８とから構成されている。この移動体４によってケーブル収納室３内の外周側と内周側とには外周側ケーブル空間３ａと内周側ケーブル空間３ｂとがそれぞれ形成されている。
【０００４】
フラットケーブル７は、ＰＥＴ等の絶縁性テープからなるベースフィルムの片面に銅等からなる複数本の導体を延設した帯状体を有するものであり、以下のようにしてケーブル収納室３に収納されている。即ち、図１０に示すように、フラットケーブル７の一端は、外側ハウジング１に固定されており、この一端側は同一の巻回方向で外周側ケーブル空間３ａに巻回されている。外周側ケーブル空間３ａに巻回されたフラットケーブル７は、反転用アイドラー６ａに巻き付けられて内周側ケーブル空間３ｂに導かれると共に反転用アイドラー６ａの位置でフラットケーブル７の巻回方向が反転されている。この反転されたフラットケーブル７は、外周側ケーブル空間３ａのときとは反対の巻回方向で内周側ケーブル空間３ｂに巻回され、フラットケーブル７の他端は内側ハウジング２に固定されている。
【０００５】
そして、例えば、このクロックスプリングが前記したエアーバッグシステムへの電流供給に適用される場合には、外側ハウジング１が車体側に、内側ハウジング２がステアリング装置側にそれぞれ固定され、且つ、外側ハウジング１に固定されたフラットケーブル７の端部側のコネクタ９ａ（図８に示す）が車体側の電気回路に、内側ハウジング２に固定されたフラットケーブル７の端部側のコネクタ９ｂ（図８に示す）がステアリング装置側の電気回路にそれぞれ接続される。
【０００６】
上記構成において、内側ハウジング２が反時計方向（図１０の矢印ａ方向）に回転すると、内側ケーブル空間３ｂにとってはフラットケーブル７の外側ケーブル空間３ａへの送り出し方向であるが、外側ケーブル空間３ａにとってはフラットケーブル７の巻き取り方向であるため、内側ケーブル空間３ｂのフラットケーブル７が外側ケーブル空間３ａ側に送り出され、この送り出されたフラットケーブル７が反転用アイドラー６ａの位置で反転しながら外側ケーブル空間３ａに巻回されると共に、フラットケーブル７が外側ケーブル空間３ａに巻回されることでフラットケーブル７の反転箇所７ａも反時計方向に移動するがこれに追従して移動体４も反時計方向に回転することによって内側ハウジング２の回転が許容される。
【０００７】
また、内側ハウジング２が時計方向（図１０の矢印ｂ方向）に回転すると、内側ケーブル空間３ｂにとってはフラットケーブル７の巻き取り方向であるが、外側ケーブル空間３ａにとってはフラットケーブル７の送り出し方向であるため、外側ケーブル空間３ａのフラットケーブル７が内側ケーブル空間３ｂ側に送り出され、この送り出されたフラットケーブル７が反転用アイドラー６ａの位置で反転しながら内側ケーブル空間３ｂに巻回されると共に、フラットケーブル７が外側ケーブル空間３ａから送り出されることでフラットケーブル７の反転箇所７ａも時計方向に移動するがこれに追従して移動体４も時計方向に回転することによって内側ハウジング２の回転が許容される。
【０００８】
つまり、内側ハウジング２の回転方向によって、内側ケーブル空間３ｂのフラットケーブル７の部分と外側ケーブル空間３ａのフラットケーブル７の部分とのいずれか一方が巻き取り方向に、他方が送り出し方向になり、且つ、移動体４がフラットケーブル７の反転箇所７ａを自由に可変することを許容しながら反転箇所７ａ以外ではフラットケーブル７の径方向の移動を規制することによってフラットケーブル７を収納しつつ内側ハウジング２のスムーズな回転がなされるものである。
【０００９】
【発明が解決しようとする課題】
ところで、図１１及び図１２に示すように、従来では、摺動プレート５上の支持ピン５ａによって支持される５つのアイドラー６，６ａは、反転用アイドラー６ａと、この反転用アイドラー６ａに対してケーブルガイド壁８を挟んで隣接されるアイドラー６とが非常に近接して配置されていた。従って、移動体４の重量分布は、反転用アイドラー６ａの部分が他の部分に比べて重くなり、移動体４の摺動に際してその部分の摩耗速度が他の部分に比べて早くなる。このように摩耗が偏ると、移動体４が傾斜して摺動することになり、移動体４のスムーズな摺動が阻害されたり、フラットケーブル７のスムーズな動きが阻害されたりして耐久性に問題が出る。
【００１０】
また、図１３に示すように、従来では、ケーブルガイド壁８がフラットケーブル７の中央より下方をガイドしているに過ぎなかったため、フラットケーブル７がケーブルガイド壁８を押圧すると、フラットケーブル７の反転部７ａの上方が図１３にて仮想線で示すように傾斜する。このようにフラットケーブル７の反転部７ａが傾斜すると、反転部７ａの屈曲径が小さくなるように形状変形し、フラットケーブル７の耐久性を低下させることになる。
【００１１】
そこで、本発明は、前記した課題を解決すべくなされたものであり、移動体に偏った摩耗が発生することを防止して耐久性に優れたクロックスプリングを提供することを目的とする。また、本発明は、移動体に偏った摩耗が発生することを防止して耐久性に優れたものとすると共に、フラットケーブルの反転部の屈曲径が小さくなるような形状変化を防止してフラットケーブルの耐久性が向上するクロックスプリングを提供することを目的とする。
【００１２】
【課題を解決するための手段】
請求項１の発明は、外周壁部を有する外側ハウジングと、この外側ハウジングに回転自在に装着され、内周壁部を有する内側ハウジングと、前記外周壁部と前記内周壁部との間に形成されたケーブル収納室と、このケーブル収納室内に回転自在に配置されたリング状の摺動プレートを有し、この摺動プレートの周方向に間隔を置いて回転自在に支持された複数のアイドラーによって前記ケーブル収納室内に外周側ケーブル空間と内周側ケーブル空間とをそれぞれ形成すると共に前記アイドラーの一つを反転用アイドラーとする移動体とを備え、一端を前記外側ハウジングに固定したフラットケーブルを前記外周側ケーブル空間で巻回し、この巻回したフラットケーブルを前記反転用アイドラーに巻き付けて前記内周側ケーブル空間に導くと共に前記反転用アイドラーの位置でフラットケーブルの巻回方向を反転し、この反転した前記フラットケーブルを前記内周側ケーブル空間で巻回し、この巻回したフラットケーブルの他端を前記内側ハウジングに固定したクロックスプリングにおいて、前記複数のアイドラーを前記摺動プレートの周方向に等間隔に配置すると共に、前記反転用アイドラーに沿って前記フラットケーブルが巻き付くようにガイドするケーブルガイド壁を前記摺動プレートに設けたことを特徴とする。
【００１３】
このクロックスプリングでは、アイドラーが等間隔に配置され、移動体の重量バランスが取れる。
【００１４】
請求項２の発明は、請求項１記載のクロックスプリングであって、前記ケーブルガイド壁は、前記フラットケーブルの中央高さよりも高く設定されたことを特徴とする。
【００１５】
このクロックスプリングでは、請求項１の発明の作用に加え、フラットケーブルがケーブルガイド壁を押圧すると、ケーブルガイド壁がこの押圧力をフラットケーブルの中央高さより上方位置で受けることからフラットケーブルの反転箇所の上方が傾斜しない。
【００１６】
請求項３の発明は、請求項２記載のクロックスプリングであって、前記ケーブルガイド壁に前記フラットケーブルの下方に当たる箇所に凹部が設けられていることを特徴とする。
【００１７】
このクロックスプリングでは、請求項２の発明の作用に加え、ケーブルガイド壁がフラットケーブルの下方位置に接触せずに小さい接触面積でフラットケーブルをガイドする。
【００１８】
請求項４の発明は、請求項１〜請求項３記載のクロックスプリングであって、前記ケーブルガイド壁は、前記反転用アイドラーに沿った円弧状の円弧状部と、この円弧状部の前記内周側ケーブル空間側の端部に設けられ、円弧方向とは逆方向に反った反転円弧状部とを有することを特徴とする。
【００１９】
このクロックスプリングでは、請求項１〜請求項３の発明の作用に加え、フラットケーブルがケーブルガイド壁を押圧すると、フラットケーブルの反転部がケーブルガイド壁に沿ってその屈曲径が広がる方向に形状変化し、この際にフラットケーブルの反転箇所の内周側を反転円弧状部が受ける。
【００２０】
【発明の実施の形態】
以下、本発明の一実施形態を図面に基づいて説明する。
【００２１】
図１〜図６は本発明の一実施形態を示し、図１はクロックスプリングの分解斜視図、図２はクロックスプリングの縦断面図、図３はフラットケーブルの巻回状態を示すクロックスプリングの概略横断面図、図４は移動体のアイドラーを装着する前の斜視図、図５は移動体の斜視図、図６はケーブルガイド壁付近の断面図である。
【００２２】
図１〜図３に示すように、クロックスプリング１０は、外側ハウジング１１と、内側ハウジング１２と、移動体１３と、可撓性のフラットケーブル１４と、回転カバー１５とから構成されている。
【００２３】
外側ハウジング１１は、下ケース部材１６と上ケース部材１７とが組み付けられることによって形成される。下ケース部材１６は上面が開放された略筒状を有し、円周上の外周壁部１６ａが側方に形成されている。上ケース部材１７は全体で下ケース部材１６を被うような筒状を有し、中央部分にはケーブル引出孔１７ａが形成されている。このケーブル引出孔１７ａよりフラットケーブル１４の内端側が引き出される。
【００２４】
内側ハウジング１２は外側ハウジング１１より小さい略筒状を有し、外側ハウジング１１の内部に回転自在に装着されている。内側ハウジング１２は円周状の内周壁部１２ａを有し、外周壁部１６ａと内周壁部１２ａとは同芯状に配置されている。外側ハウジング１１内で、且つ、外周壁部１６ａと内周壁部１２ａとの間にはリング状のケーブル収納室１８が形成されている。
【００２５】
移動体１３はケーブル収納室１８内に回転自在に配置されている。図４及び図５に示すように、移動体１３は、リング状の摺動プレート１９と、この摺動プレート１９に間隔を置いて回転自在に設けられ、一つが反転用とされた５つのアイドラー２０と、摺動プレート１９に設けられ、反転用アイドラー２０ａに沿ってフラットケーブル１４が巻き付くようにガイドするケーブルガイド壁２１とから構成されている。摺動プレート１９には５つの支持ピン２２が立設され、この各支持ピン２２に支持されることによってアイドラー２０が回転自在に設けられている。５つのアイドラー２０は、摺動プレート１９の周方向に等間隔に配置されている。図６に示すように、ケーブルガイド壁２１はフラットケーブル１４の中央高さよりも高く設定されている。
【００２６】
また、図３〜図５に示すように、ケーブルガイド壁２１は、反転用アイドラー２０ａに沿った円弧状の円弧状部３０と、この円弧状部３０の内周側ケーブル空間１８ｂ側の端部に設けられ、円弧方向とは逆方向に反った反転円弧状部３１とから構成されている。そして、このように構成された移動体１３によってケーブル収納室１８内の外周側と内周側とには外周側ケーブル空間１８ａと内周側ケーブル空間１８ｂとがそれぞれ構成されている。
【００２７】
フラットケーブル１４は、ＰＥＴ等の絶縁性テープからなるベースフィルムの片面に銅等からなる複数本の導体を延設した帯状体を有するものであり、以下のようにしてケーブル収納室１８に収納されている。つまり、図３に示すように、フラットケーブル１４の一端は、外側ハウジング１１に固定されており、この一端側は同一の巻回方向で外周側ケーブル空間１８ａに巻回されている。外周側ケーブル空間１８ａに巻回されたフラットケーブル１４は、反転用アイドラー２０ａに巻き付けられて内周側ケーブル空間１８ｂに導かれると共に反転用アイドラー２０ａの位置でフラットケーブル１４の巻回方向が反転されている。この反転されたフラットケーブル１４は、外周側ケーブル空間１８ａのときとは反対の巻回方向で内周側ケーブル空間１８ｂに巻回され、フラットケーブル１４の他端は内側ハウジング１２に固定されている。そして、フラットケーブル１４の外端側には外端コネクタ２３が接続されていると共に、その内端側には内側コネクタ２４が接続されている。
【００２８】
回転カバー１５は、内側ハウジング１２の上面にネジ２５で固定され、内側ハウジング１２と共に外側ハウジング１１に回転自在に設けられている。
【００２９】
このように構成されたクロックスプリング１０は、例えばエアーバッグシステムへの電流供給に適用される場合には、外側ハウジング１１が車体側に、内側ハウジング１２がステアリング装置側にそれぞれ固定され、且つ、外側ハウジング１１に固定されたフラットケーブル１４の外端コネクタ２３が車体側の電気回路に、内側ハウジング２に固定されたフラットケーブル１４の内端コネクタ２４が回転カバー１５を介してステアリング装置側の電気回路にそれぞれ接続される。
【００３０】
上記構成において、内側ハウジング１２が反時計方向（図３の矢印ａ方向）に回転すると、内側ケーブル空間１８ｂにとってはフラットケーブル１４の外側ケーブル空間１８ａへの送り出し方向であるが、外側ケーブル空間１８ａにとってはフラットケーブル１４の巻き取り方向であるため、内側ケーブル空間１８ｂのフラットケーブル１４が外側ケーブル空間１８ａ側に送り出され、この送り出されたフラットケーブル１４が反転用アイドラー２０ａの位置で反転しながら外側ケーブル空間１８ａに巻回されると共に、フラットケーブル１４が外側ケーブル空間１８ａに巻回されることでフラットケーブル１４の反転箇所１４ａも反時計方向に移動するがこれに追従して移動体１３も反時計方向に回転することによって内側ハウジング１２の回転が許容される。
【００３１】
また、内側ハウジング１２が時計方向（図３の矢印ｂ方向）に回転すると、内側ケーブル空間１８ｂにとってはフラットケーブル１４の巻き取り方向であるが、外側ケーブル空間１８ａにとってはフラットケーブル１４の送り出し方向であるため、外側ケーブル空間１８ａのフラットケーブル１４が内側ケーブル空間１８ｂ側に送り出され、この送り出されたフラットケーブル１４が反転用アイドラー２０ａの位置で反転しながら内側ケーブル空間１８ｂに巻回されると共に、フラットケーブル１４が外側ケーブル空間１８ａから送り出されることでフラットケーブル１４の反転箇所１４ａも時計方向に移動するがこれに追従して移動体１３も時計方向に回転することによって内側ハウジング１２の回転が許容される。
【００３２】
つまり、内側ハウジング１２の回転方向によって、内側ケーブル空間１８ｂのフラットケーブル１４の部分と外側ケーブル空間１８ａのフラットケーブル１４の部分とのいずれか一方が巻き取り方向に、他方が送り出し方向になり、且つ、移動体１３がフラットケーブル１４の反転箇所１４ａを自由に可変することを許容しながら反転箇所１４ａ以外ではフラットケーブル１４の径方向の移動を規制することによってフラットケーブル１４を収納しつつ内側ハウジング１２のスムーズな回転がなされるものである。
【００３３】
以上、移動体１３は、内側ハウジング１２の移動に追従しつつケーブル収納室１８内を摺動するが、この摺動に際してアイドラー２０が等間隔に配置され、移動体１３の重量バランスが取れているため、移動体１３に偏った摩耗が発生せず耐久性に優れている。
【００３４】
前記実施形態では、ケーブルガイド壁２１は、フラットケーブル１４の中央高さよりも高く設定されているので、内側ハウジング１２の反時計方向（図３の矢印ａ方向）の回転時にあって、フラットケーブル１４がケーブルガイド壁２１を押圧すると、ケーブルガイド壁２１がこの押圧力をフラットケーブル１４の中央高さより上方位置で受けることからフラットケーブル１４の反転箇所１４ａの上方が傾斜しない。従って、フラットケーブル１４の反転箇所１４ａの屈曲径が小さくなるような形状変化をせずフラットケーブル１４の耐久性が向上する。
【００３５】
この実施形態では、ケーブルガイド壁２１は、反転用アイドラー２０ａに沿った円弧状の円弧状部３０と、この円弧状部３０の内周側ケーブル空間１８ｂ側の端部に設けられ、円弧方向とは逆方向に反った反転円弧状部３１とから構成されているので、内側ハウジング１２の反時計方向（図３の矢印ａ方向）の回転時にあって、フラットケーブル１４がケーブルガイド壁２１を押圧すると、フラットケーブル１４の反転箇所１４ａがケーブルガイド壁２１に沿ってその屈曲径が広がる方向に形状変化し、この際にフラットケーブル１４の反転箇所１４ａの内周側を反転円弧状部３１が受ける。従って、フラットケーブル１４の反転箇所１４ａの内周側がケーブルガイド壁２１と内周側ケーブル空間１８ｂに巻回されたフラットケーブル１４の部分との間に巻き込まれ、フラットケーブル１４が折れ曲がったり、噛んだりする事態を防止することができる。
【００３６】
図７は前記実施形態のケーブルガイド壁２１の変形例を示す断面図である。図７に示すように、ケーブルガイド壁２１にはフラットケーブル１４の下方に当たる箇所に凹部３２が設けられている。この変形例では、ケーブルガイド壁２１がフラットケーブル１４の下方位置に接触せずに小さい接触面積でフラットケーブル１４をガイドするため、フラットケーブル１４への摺動抵抗を減少させることができる。
【００３７】
尚、前記実施形態によれば、外側ハウジング１１が固定側で、内側ハウジング１２が回転側である場合を示したが、外側ハウジング１１が回転側で、内側ハウジング１２が固定側であっても良い。また、移動体１３のアイドラー２０，２０ａの個数は５個であったが、アイドラー２０，２０ａの個数はこれに限定されるものではないことは勿論である。
【００３８】
【発明の効果】
以上説明したように、請求項１の発明によれば、外周壁部を有する外側ハウジングと、内周壁部を有する内側ハウジングと、外周壁部と内周壁部の間に構成されたケーブル収納室と、ケーブル収納室内に回転自在に配置された複数のアイドラーを有する移動体とを備え、フラットケーブルを反転用アイドラーの箇所で反転させてケーブル収納室内に巻回状態で収納したクロックスプリングにおいて、複数のアイドラーをリングプレートの周方向に等間隔に配置すると共に、反転用アイドラーに沿ってフラットケーブルが巻き付くようにガイドするケーブルガイド壁を設けたので、アイドラーが等間隔に配置され、移動体の重量バランスが取れているため、移動体に偏った摩耗が発生せず耐久性に優れている。
【００３９】
請求項２の発明によれば、フラットケーブルがケーブルガイド壁を押圧すると、ケーブルガイド壁がこの押圧力をフラットケーブルの中央高さより上方位置で受けることからフラットケーブルの反転箇所の上方が傾斜しないため、フラットケーブルの反転箇所の屈曲径が小さくなるような形状変化をせずフラットケーブルの耐久性が向上する。
【００４０】
請求項３の発明によれば、ケーブルガイド壁がフラットケーブルの下方位置に接触せずに小さい接触面積でフラットケーブルをガイドするため、フラットケーブルへの摺動抵抗を減少させることができる。
【００４１】
請求項４の発明によれば、ケーブルガイド壁は、反転用アイドラーに沿った円弧状の円弧状部と、この円弧状部の内周側ケーブル空間側の端部に設けられた反転円弧状部とを有するので、フラットケーブルがケーブルガイド壁を押圧すると、フラットケーブルの反転箇所がケーブルガイド壁に沿ってその屈曲径が広がる方向に形状変化し、この際にフラットケーブルの反転部の内周側を反転円弧状部が受ける。従って、フラットケーブルの反転箇所の内周側がケーブルガイド壁と内周側ケーブル空間に巻回されたフラットケーブルの部分との間に巻き込まれることを防止することができる。
【図面の簡単な説明】
【図１】本発明の一実施形態を示し、クロックスプリングの分解斜視図である。
【図２】本発明の一実施形態を示し、クロックスプリングの縦断面図である。
【図３】本発明の一実施形態を示し、フラットケーブルの巻回状態を示すクロックスプリングの概略横断面図である。
【図４】本発明の一実施形態を示し、移動体のアイドラーを装着する前の斜視図である。
【図５】本発明の一実施形態を示し、移動体の斜視図である。
【図６】本発明の一実施形態を示し、ケーブルガイド壁付近の断面図である。
【図７】前記実施形態のケーブルガイド壁の変形例を示す断面図である。
【図８】従来例を示し、クロックスプリングの分解斜視図である。
【図９】従来例を示し、クロックスプリングの縦断面図である。
【図１０】従来例を示し、フラットケーブルの巻回状態を示すクロックスプリングの概略横断面図である。
【図１１】従来例を示し、移動体のアイドラーを装着する前の斜視図である。
【図１２】従来例を示し、移動体の斜視図である。
【図１３】従来例を示し、ケーブルガイド壁付近の断面図である。
【符号の説明】
１０  クロックスプリング
１１  外側ハウジング
１２  内側ハウジング
１２ａ  内周壁部
１３  移動体
１４  フラットケーブル
１４ａ  反転箇所
１６ａ  外周壁部
１８  ケーブル収納室
１８ａ  外周側ケーブル空間
１８ｂ  内周側ケーブル空間
１９  摺動プレート
２０  アイドラー
２０ａ  反転用アイドラー
２１  ケーブルガイド壁
３０  円弧状部
３１  反転円弧状部
３２  凹部
【図１】
2007037201.tif 000003
【図２】
2007037201.tif 000004
【図３】
2007037201.tif 000005
【図４】
2007037201.tif 000006
【図５】
2007037201.tif 000007
【図６】
2007037201.tif 000008
【図７】
2007037201.tif 000009
【図８】
2007037201.tif 000010
【図９】
2007037201.tif 000011
【図１０】
2007037201.tif 000012
【図１１】
2007037201.tif 000013
【図１２】
2007037201.tif 000014
【図１３】
2007037201.tif 000015